(57)【要約】【課題】  構成が簡単で廉価に製造でき、カラスや猫による食い散らし散乱被害や風による散乱等を確実に防ぐことができ、収納物の出し入れが容易にできて確実に収納物の散乱被害を防ぐことが出来、かつ、労を要さずに、瞬時に収納物を取り出すことが出来る散乱防止具を提供すること。【解決手段】  筒状体の一方の端部を接合して袋状体と成し、当該袋状体を、開口部を上にして垂直方向に立てた場合の収納部を２分する水平方向の面よりも下側に、当該袋状体を持ち上げるための把手を設け、当該把手を引き上げると該袋状体が転倒して、収納物が当該袋状体から外に向かって放出される構成である散乱防止具を供する。【選択図】図９
2014040321.tif 000002
【特許請求の範囲】
【請求項１】
布やネットである布状体で構成された筒状体の片方の端を接合し閉鎖して袋状体と成し、当該袋状体を、開口部を上にして垂直方向に立てた場合の当該袋状体における収納部を上下に２分する水平方向の面よりも下側に、当該袋状体を持ち上げるための把手を設け、当該把手を引き上げると当該袋状体が転倒して、内部の収納物が当該袋状体から外に向かって放出される構成であることを特徴とする散乱防止具。
【請求項２】
前記袋状体を寝せた状態において、前記袋状体の収納部と開口部の間を引き延ばすことで折り返し部を構成し、当該折り返し部を閉鎖位置で折り返すことにより当該袋状体の収納部の端を閉鎖することが出来る構成であることを特徴とする請求項１記載の散乱防止具。
【請求項３】
前記袋状体の開口部に接する前記折り返し部を開口部から底部に向かって一部切り裂くか、前記折り返し部の一部を開口部から底部に向かって細長く切り欠いて、前記開口部が前記袋状体の太さよりも大きく広がるようにした構成である請求項２記載の散乱防止具。
【請求項４】
前記袋状体の片面を、他の片面の端の左右それそれぞれに別の布状体を配して構成し、当該左右の布状体を中央に寄せて重ね合わせることで偽筒状体と成し、当該偽筒状体の片方の端を接合し閉鎖して袋状と成し、前記左右の布状体を中央から左右に開くことで、前記開口部を押し広げられるようにし、当該開口部の径が前記袋状体の径よりも大きく広がるように構成した請求項２、又は請求項３記載の散乱防止具。
【請求項５】
前記筒状体を、二枚の異なる性質の素材の側部を接合して構成し、当該筒状体の片方の端を接合し閉鎖して袋状体と成し、当該袋状体を、寝せた状体において、上面と下面に異なる性質の素材を配すことで、それぞれの素材の特長を生かした効果が得られる構成であることを特徴とする請求項１、又は請求項２、又は請求項３、又は請求項４記載の散乱防止具。
【請求項６】
前記袋状体を寝せた状態において、覆いとしての機能を有する素材で上面を構成し、下面には容器としての形状を有する成形体を配すことで、容器としての機能を有して散乱防止の効果を有する袋状体であって、把手を持って持ち上げた際に、収納物が滑動して瞬時に収納物が滑り出す構成の請求項１、又は請求項２、又は請求項３、又は請求項４、又は請求項５記載の散乱防止具。
【請求項７】
前記袋状体を寝せた状態において、前記袋状体の収納部を、開口部側と底部側とに二分してそれぞれに把手を設け、当該二つの把手を同時に引き上げると、前記袋状体を寝せた状体で持ち上げることの出来る構成の請求項１、又は請求項２、又は請求項３、又は請求項４、又は請求項５、又は請求項６記載の散乱防止具。
【請求項８】
前記袋状体を寝せた状態において、前記袋状体の収納部を、開口部側と底部側とに二分したときの開口部側であって、前記袋状体の左右両側部にロープを通すことの出来る貫通孔又はロープを遊嵌可能にする取り付け具を設け、当該両側部の貫通孔又は当該取り付け具に把手であるロープの両端を通し、当該袋状体の反対側に出たロープの端を前記閉鎖位置を挟んで向き合う、前記袋状体の折り返し部の側部に取り付け、当該ロープを引くと、前記折り返し部が収納部側に引き寄せられて前記折り返し部が自動的に折り返される構成であることを特徴とする請求項２、又は請求項３、又は請求項４、又は請求項５、又請求項６、又は請求項７記載の散乱防止具。
【発明の詳細な説明】
【技術分野】
【０００１】  本発明は、カラスや小動物等による、生ゴミや収穫した農作物などの食い散らし散乱被害、および、強風下での軽量物の飛翔散乱を防ぐための散乱防止具に関する。
【背景技術】
【０００２】  カラスや猫などによる生ゴミの食い散らし散乱被害が社会問題化して久しく、様々な構成の散乱防止具が開発されてきた。しかし、散乱被害には様々なケースがあり、未だ、その問題の全面解消に到ってはいない。また、農作物や海産物を一時的に鳥獣による食い散らし散乱被害から保護する簡便な用具も望まれる。近年、生ゴミの回収では戸別回収に移行する自治体が増加する傾向にあるが、個別回収用の散乱防止具では、簡単な構成で廉価であり、かつ、絶対安全と言い切れるものは開発されていない。ファスナーを付けた袋状の散乱防止具は、散乱防止の効果に確実性があり、コンパクトに収納できる点で優れている。しかし、前記ファスナーを開きながら散乱防止具を連続的に数多く使用するような場面では、収納物を取り出す作業が負担となる。収納物の収納と取り出しが容易に出来、特に取り出す際には労を要さず散乱防止具から一瞬で収納物を取り出せることが望まれる。かつ、収納物の収納時には簡単な操作で投入口を閉鎖して、収納物の散乱被害を防ぐことの出来る散乱防止具の開発が望まれる。【０００３】  特許第４０５７６３２号に、「端部開口部から他端部開口部までの横幅がほぼ均一に構成された運搬用の把手を取り付けた布状体によって構成された筒状体であり、該筒状体に運搬中に被運搬物の落下を防ぐための開口部閉鎖手段を設けた手下げ型の運搬具において、前記筒状体を扁平に押しつぶしたものの開口部を左右に見て、両側端に下がり部を開口部閉鎖手段として設け、該下がり部を構成するそれぞれの折り返し部における両側端に取っ手を兼ねた引き紐を設け、該引き紐を同時に引き上げることで、該筒状体の収納部である胴部に入れられた被運搬物を吊り上げて運搬し、該筒状体に被運搬物を入れて横倒しにした場合に該下がり部が垂れ下がって該筒状体の両開口部を塞ぐことの出来る柔軟性と長さを有することを特徴とする手提げ型の運搬用具。」が記載されている。当該発明では、閉鎖状態を作ることは容易であるが、筒状体に底がないため収集物の収納の際に安定した状態が作りにくい。
【先行技術文献】
【特許文献】
【０００４】
【特許文献１】  特許第４０５７６３２号
【発明の概要】
【発明が解決しようとする課題】
【０００５】  構成が簡単で廉価に製造でき、収納物の出し入れが容易で、とりわけ、収納物の取り出しが瞬時に行える散乱防止具であって、開口部の閉鎖状態を確実に維持することで収納物のカラスや猫等の鳥獣による食い散らし散乱被害を防ぐことが出来るとともに、強風による収納物の飛散を確実に防ぐことが出来る散乱防止具を提供すること。
【課題を解決するための手段】
【０００６】  ネットや布である布状体で袋状の覆いを形成し、開口部の閉鎖手段を確実なものにすれば収納物の飛散防止については満足できる散乱防止具とすることが可能である。しかし収納物の収納、又は取り出しを連続して行うような場合には、収納物の出し入れをいかに容易にするか、特に収納物を瞬時に取り出せるかが作業効率を高める上で重要な課題となる。通常、把手の付いた袋状体は、当該袋状体内部の収納物を安全に保持し、その状態を維持したまま移動させるという目的を有している。【０００７】  本発明では、袋状体に設ける把手の主たる目的を、当該袋状体を転倒させることとし、当該転倒によって袋状体内部の収納物を当該袋状体から瞬時に離脱させる効果を持たせたものである。布やネットである布状体で構成された筒状体の片方の端を接合し閉鎖して袋状体と成し、当該袋状体を、開口部を上にして垂直方向に立てた場合の、当該袋状体における収納部を上下に二分する水平方向の面よりも下側に、当該袋状体を持ち上げるための把手を設け、当該把手を持ち上げると当該袋状体が転倒して、内部の収納物が当該袋状体から外に向かって放出される構成の散乱防止具とした。【０００８】  本発明では袋状体を寝せた状態において、前記袋状体の収納部と開口部の間を引き延ばすことで折り返し部を構成し、当該折り返し部を閉鎖位置で折り返すことにより閉鎖する構成とした。前記折り返し部が垂れ下がることや開口部を収納部の下に位置させて自重で押さえ込むことにより、前記袋状体の収納部の端を確実に閉鎖するとともに、カラスや猫などが侵入しにくくし、収納物の食い散らし散乱被害を防ぐ構成とした。【０００９】  前記袋状体の開口部と収納物の径がほぼ同じであるような場合、当該収納物の端が当該袋状体の開口部に引っかかり、前記袋状体内へのスムーズな移動が困難であるため、本発明では、当該袋状体の開口部に接する前記袋状体の折り返し部を開口部から底部に向かって一部切り裂くか、又は前記折り返し部の一部を開口部から底部に向かって細長く切り欠いて前記開口部を押し広げられるようにし、当該開口部の径が前記袋状体の径よりも大きく広がるように構成した。【００１０】  前記袋状体の開口部と収納物の径がほぼ同じであるような場合、当該収納物の端が当該袋状体の開口部に引っかかり、前記袋状体内に当該収納物が入れにくいため、本発明では、当該袋状体の片面を、他の片面の端の左右それそれぞれに別の布状体を配したものとし、左右それぞれの布状体を中央に寄せて重ね合わせることで偽筒状体と成し、当該偽筒状体の片方の端を接合し閉鎖して袋状と成し、前記左右の布状体を中央から左右に開くことで、前記開口部を押し広げられるようにし、当該開口部の径が前記袋状体の径よりも大きく広がるように構成した。【００１１】  投入口を大きくするため、前記袋状体の一部を２枚合わせの布状体で構成し、開口部付近の布状体を左右に開けるようにすれば、収納の作業を効率的にすることが出来る。前記袋状体を、一枚の布状体を一方向の２本の折り線で３分割し、当該分割された前記布状体の端と端が重なり合うように折りたたんで筒状体とし、当該筒状体の一方の端を接合して収納部を構成した。【００１２】  前記筒状体を、二枚の異���る性質の素材の側部を接合して構成し、当該筒状体の片方の端を接合し閉鎖して袋状体と成し、当該袋状体を、寝せた状体において、上面と下面に異なる性質の素材を配すことで、それぞれの素材の特長を生かした効果が得られる構成とした。例えば、保管した生ゴミや農作物等が鳥獣による食い散らし被害を受けないためには、使われる素材に、上面には食いちぎれないだけの切断や引き延ばしに対する強度を有するか、鳥獣に気づかれないための目隠し効果のある素材を配し、下面には収納物を取り出す際にスムーズに移動できる滑りやすい素材を組み合わせることや、強度のある素材と通気性のある素材を組み合わた構成の散乱防止具とした。【００１３】  前記袋状体の散乱防止具の使用に当たっては、収納物を次々と収納するために大きな口を有する容器としての形状が望まれる場合が生じる。本発明では、前記袋状体を寝せた状態において、覆いとしての機能を有する素材で上面を構成し、下面には容器としての形状を有する成形体を配すことで、容器としての機能を有し、散乱防止の効果を有する袋状体であって、把手を持って持ち上げた際に、収納物が滑動して瞬時に収納物が滑り出す構成の散乱防止具とした。【００１４】  散乱防止具の使用時の収納物の取り出しに当たっては、収納物が瞬時に当該散乱防止具から離脱するとともに、目的の場所に移動させられることが望ましい。本発明では、前記袋状体を寝せた状態において、前記袋状体の収納部を開口部側と底部側とに二分してそれぞれに把手を設け、当該二つの把手を同時に引き上げると、前記袋状体を寝せた状体で持ち上げることの出来る構成の散乱防止具とした。【００１５】  収納を合理的にするには、収納後自動的に開口部が閉鎖されることが望ましい。本発明では、前記袋状体を寝せた状態において、前記袋状体の収納部を、開口部側と底部側とに二分したときの開口部側であって、前記袋状体の左右両側部にロープを通すことの出来る貫通孔を設け、当該両側部の貫通孔に把手であるロープの両端を通し、反対側に出たロープの端を前記閉鎖位置を挟んで向き合う、前記袋状体の折り返し部の側部に取り付け、当該ロープを引くと、前記折り返し部が収納部側に引き寄せられて前記筒状体が自動的に折り返される構成の散乱防止具とした。前記貫通孔は当該貫通孔とほぼ同位置にロープを遊嵌可能にしたロープの取り付け具を設けることでも同一の効果が得られる。
【発明の効果】
【００１６】  布やネットである布状体で構成された筒状体の片方の端を接合し閉鎖して袋状体と成し、当該袋状体を、開口部を上にして垂直方向に立てた場合の当該袋状体における収納部を上下に２分する水平方向の面よりも下側に、当該袋状体を持ち上げるための把手を設け、当該把手を引き上げると当該袋状体が転倒して、内部の収納物が当該袋状体から外に向かって放出される構成の散乱防止具であるため、次の効果を奏する。【００１７】  前記把手を持って、前記袋状体を持ち上げると当該袋状体が転倒して、当該袋状体内に収納された収納物が外に向かって放出される。生ゴミのゴミ回収業務や農作業等において袋状体に収納された収納物を連続的に数多く取り出す必要のある作業では、取り出しの作業を効率化し、著しく能率を高めることが出来る。【００１８】  前記袋状体を寝せた状態において、前記袋状体の収納部と開口部の間を引き延ばすことで折り返し部を構成し、当該折り返し部を閉鎖位置で折り返すことにより当該袋状体の収納部の端を閉鎖することが出来る構成である散乱防止具であるため次の効果を奏する。【００１９】  前記、折り返し部が垂れ下がることや開口部を収納部の下に位置させて自重で押さえ込むことにより、前記袋状体の収納部の端で確実に閉鎖し、カラスや猫などの鳥獣が侵入しにくくなって、収納物の食い散らし散乱被害を防ぐことが出来る。又、折り返すという作業のみで前記袋状体の開口部を確実に閉鎖することが出来るため、作業の効率化が図れる。【００２０】  前記袋状体の開口部に接する前記折り返し部を開口部から底部に向かって一部切り裂くか、前記折り返し部の一部を開口部から底部に向かって細長く切り欠いて、前記開口部が前記袋状体の太さよりも大きく広がるようにした構成である散乱防止具であるため次の効果を奏する。【００２１】  前記袋状体の開口部の径が前記袋状体の径よりも大きく広がるため、収納物を前記袋状体内部に入れる際に、収納物が開口部に引っかかって移動を妨げられるということなく、スムーズに収納できる。【００２２】  前記袋状体の片面を、他の片面の端の左右それそれぞれに別の布状体を配して構成し、当該左右の布状体を中央に寄せて重ね合わせることで偽筒状体と成し、当該偽筒状体の片方の端を接合し閉鎖して袋状と成し、前記左右の布状体を中央から左右に開くことで、前記開口部を押し広げられるようにし、当該開口部の径が前記袋状体の径よりも大きく広がるように構成した散乱防止具であるため次の効果を奏する。【００２３】  前記袋状体の開口部の径が前記袋状体の径よりも大きく広がるため、収納物を前記袋状体内部に入れる際に、収納物の移動を妨げられることなくスムーズに収納できる。又、一枚の布状体を一方向に３分割して折り合わせ、左右の布状体を重ね合わせて製造すれば、収納部を構成する作業工程を短縮でき、コストを軽減できる。また、左右に配された布状体の縦横の寸法を中央に配された布状体の縦横の寸法と同等又は同等以上の大きさにすれば、当該袋状体を横倒にした際に上面が二重となって強度を増し、収納物の鳥獣による食い散らし被害を防ぐ効果を発揮する。【００２４】  前記筒状体を、二枚の異なる性質の素材の側部を接合して構成し、当該筒状体の片方の端を接合し閉鎖して袋状体と成し、当該袋状体を寝せた状体において、上面と下面に異なる性質の素材を配すことで、それぞれの素材の特長を生かした効果が得られる構成の散乱防止具であるため、次の効果を奏する。【００２５】  当該袋状体を、寝せた状体において、上面に切断や引き延ばしに強い素材を用いれば、鳥獣が前記袋状体を食いちぎって収納物を食い散らすことを妨ぐことができる。また、目隠し効果の素材を上面に配しても鳥獣が餌となる収納物に気づかず、結果として同様の成果が得られる。当該袋状体の下面には収納物が滑りやすい素材を配し、前記把手を持ち上げると当該収納物が滑動することで、容易に当該収納物を当該筒状体から瞬時に放出することが出来る。同様に上面に否浸透性の素材を用い、下面に通気性の高い素材を用いれば、収納物が雨に濡れることを防ぎ、かつ通気性を確保できる。【００２６】  前記袋状体を寝せた状態において、覆いとしての機能を有する素材で上面を構成し、下面には容器としての形状を有する成形体を配すことで、容器としての機能を有し、散乱防止の効果を有する袋状体であって、把手を持って持ち上げた際に、収納物が滑動して瞬時に収納物が滑り出す構成の散乱防止具であるため次の効果を奏する。【００２７】  大きな投入口が構築可能となることから、収納物を次々に投げ入れ可能となって収納作業の効率化が図れる。一定の収納量になった段階で覆いを閉じて保管し、必要に応じて把手を持ち上げれば収納物の全量を瞬時に取り出すことが出来る。また、液体を伴うか、液体を排出する収納物の収納も可能となる。【００２８】  前記袋状体を寝せた状態において、前記袋状体の収納部を、開口部側と底部側とに二分してそれぞれに把手を設け、当該二つの把手を同時に引き上げると、前記袋状体を寝せた状体で持ち上げることの出来る構成の散乱防止具であるため次の効果を奏する。【００２９】  収納物の取り出しを瞬時に行うためには、持ち上げやすく、散乱防止具ごと放り投げられることが望ましい。前記把手を持って前記袋状体を持ち上げ、左右に振り動かして、開口部側の把手の手を離すと、前記袋状体内部の収納物は前記袋状体の折り返し部を押し広げ、当該袋状体の外に向かって飛んで行く。例えば、当該袋状体に生ゴミの入った袋を収納し、当該袋状体を生ゴミの回収車の開口部に向かって振り、開口部側のロープの手を離すと生ゴミの袋のみが回収車の開口部に向かって飛び込んでいくという使い方が可能となる。。【００３０】  前記袋状体を寝せた状態において、前記袋状体の収納部を、開口部側と底部側とに二分したときの開口部側であって、前記袋状体の左右両側部にロープを通すことの出来る貫通孔又はロープを遊嵌可能にする取り付け具を設け、当該両側部の貫通孔又は当該取り付け具に把手であるロープの両端を通し、当該袋状体の反対側に出たロープの端を前記閉鎖位置を挟んで向き合う、前記袋状体の折り返し部の側部に取り付け、当該ロープを引くと、前記折り返し部が収納部側に引き寄せられて前記折り返し部が自動的に折り返される構成である散乱防止具であるため次の効果を奏する。【００３１】  前記袋状体の開口部側に配されたロープを引くことで、折り返し部が折り返され、自動的に開口部が閉鎖���れるため、収納の作業が効率化される。
【図面の簡単な説明】
【００３２】
【図１】実施例１の一部断面を含む斜視図である。
【図２】実施例２の斜視図である。
【図３】実施例３の斜視図である。
【図４】実施例４の斜視図である。
【図５】実施例５の斜視図である。
【図６】実施例５の別タイプの斜視図である。
【図７】実施例６の斜視図である。
【図８】実施例７の斜視図である。
【図９】実施例８の斜視図である。
【発明を実施するための形態】
【００３３】  以下、図に基づいて実施の形態について説明する。説明中における閉鎖位置５１は想定上のものであって、実際に使用するに当たっては内容物の形状や大きさによって、位置のずれが生じるものとする。
【実施例１】
【００３４】  図１は実施例１における袋状体１０の構成を示す一部断面を含む斜視図である。袋状体１０は表側の袋素材１１（１）と裏側の袋素材１２（１）とを２枚合わせにし、当該２枚の袋素材１の１つの辺を除いて接合手段２で周囲を接合したものである。本実施例では一枚の袋素材１を底部４で折り返すことで、表側の袋素材１１（１）と裏側の袋素１２（１）を形成し、これを底部４と直角方向に隣接する袋素材１の側端１０１で縫合したものである。当該袋状体１０の側端１０１は外側の縫い線２１と内側の縫い線２２とによってほぼ並行になるように一定の幅を持って縫合されている。この縫合されて出来た側部帯状体２０（２）には把手３の端が取り付けられる。【００３５】  前記側部帯状体２０（２）に貫通孔２３を開け、把手３であるロープ３１の端３２を通して貫通孔２３の反対側で結びこぶ３３を形成して把手３であるロープ３１を袋状体１０の端に掛着する。当該袋状体１０を開口部５を上にして立てたときに、右側の貫通孔２３１と左側の貫通孔２３２を結ぶ線を当該袋状体１０の収納部１００を水平方向に２分する面よりも下に位置させる。開口部５は何らかの閉鎖手段５２、本図では線ファスナー５２１（商品名チャック）によって閉鎖される。【００３６】  本実施形態の使用に当たっては収納部１００の内部に収納物６を入れ、閉鎖位置５１に閉鎖手段５２を設けて開口部５を閉じ、収納物６の一時保管等に使用する。袋状体１０は立てて置いても寝せて置いてもよいが、把手３が握りやすいように位置させる必要がある。収納物６の取り出しに当たっては閉鎖手段５２である線ファスナー５２１を開け、把手３を手に持ち、これを上に引き上げると袋状体１０は転倒して収納物６が袋状体１０の外に滑り出す。なお、把手３の取り付け位置は袋状体１０の側部帯状体２０に取り付ける必要はなく、袋状体１０の収納部１００を前記水平方向に２分する線よりも下であればどの位置であってもかまわない。【００３７】  また、把手３の取り付け方も貫通孔２３にロープ３１を通すだけではなく、ベルトを袋素材１に直接縫合することや、貫通孔を設けてフック状の把手を取り外し自由に配することも可能である。また、縫合によって側部帯状体２０を形成することによって収納物６の出し入れがスムーズとなるが、収納物６の形状によっては必ずしも側部帯状体２０の形成を必要としない。本実施例では閉鎖手段を線ファスナー５２１（商品名チャック）とし、スライダー５２２を左右に移動させることで開口部５を開閉させるが、袋状体１０の収納部１００を延長し、図２のように長い筒状体することで折り返し部７を形成し、閉鎖位置５１で折り返すことでも本発明の目的は達せられる。
【実施例２】
【００３８】  図２は実施例２の斜視図である。実施例１における線ファスナー５２１を取り去り、収納部１００を有する袋状体１０を閉鎖位置５１よりも先に延長して折り返し部７を構成したものである。表側の袋素材１１（１）と裏側の袋素材１２（１）とを２枚合わせにし、開口部５を除いて周囲を縫合することや側部帯状体２０に貫通孔２３を開け、把手３であるロープ３１を袋状体１０の端に掛着する点は実施例と同一である。当該袋状体１０を開口部５を上にして立てたときに、右側の貫通孔２３１と左側の貫通孔２３２を結ぶ線が当該袋状体１０の収納部１００を水平方向に２分する面よりも下になるように位置させる点は実施例１と同じである。【００３９】  収納物６の収納に当たっては、開口部５から収納物６を表側の袋素材１１（１）と裏側の袋素材１２（１）の間である収納部１００に入れ、閉鎖位置５１で袋状体１０を折り曲げ、閉鎖位置５１よりも先の袋状体１０を折り返し部７とする。袋状体１０を閉鎖位置５１で折るだけでも袋状体１０を閉鎖できるが、折り返し部７及び開口部５を収納部１００の下に位置させて収納物６の自重で押さえ込むと開口部５の閉鎖状態をより確実に保つことが出来る。収納物６の取り出しに当たっては把手３を手に取り、これを引き上げると収納物６は自重により折り返し部７を押し広げながら裏側の袋素材１２（１）上を滑動して開口部５より排出される。前記収納部１００を水平方向に２分する面の位置は収納する収納物６の大きさによって若干の変動が見込まれるため、通常の使用で想定される大きさよりも小さくなった場合を考慮して、把手３の取り付け位置を決定する。
【実施例３】
【００４０】  図３は実施例３の斜視図であり、実施例２における開口部５を形成する表側の袋素材１１（１）の端１１１に隣接する表側の袋素材１１の側端部１１２と、開口部５を形成する裏側の袋素材１２（１）の端１２１に隣接する表側の袋素材１２の側端部１２２との間を切り離すことで表側の袋素材１１（１）と裏側の袋素材１２（１）の端部どうしを引き離し可能にし、開口部５を実施例２よりも大きく開くことを可能としたものである。閉鎖位置５１で袋状体１０を折り曲げ、折り返し部７を折り返すことで開口部５を収納部１００の下に位置させことや把手３を手に取り、これを引き上げると収納物６が自重により折り返し部７を押し広げながら移動して開口部５より排出される点は実施例２と同様である。開口部５が大きく開くことを可能にすることで、収納部１００内に収納物６を取り込み易くなる。なお、本実施例の把手３は袋状体１０の底部４近くに孔１０２を開けて残った袋状体１０の端を把持可能したものである。この他、把手３は、本実施例の孔１０２と同位置に、ベルトの端を表側の袋素材１１（１）に縫い付けることで把持可能にするなど様々な形態で成形できる。
【実施例４】
【００４１】  図４は実施例４の斜視図であり、実施例２における表側の袋素材１１を表右側の袋素材１１０１と表左側の袋素材１１０２の２枚に分け、裏側の袋素材１２（１）の端の左右それぞれに配し、当該２枚を中央に寄せ合わせて全体を袋状体（１０）と成し、当該２枚を左右に開くことで開口部５を実施例２よりも大きく開くことが出来るようにしたものである。本実施例では表右側の袋素材１１０１と表左側の袋素材１１０２を中央で重ね合わせているが左右２枚をつきあわせて掛着するなど、表右側の袋素材１１０１と表左側の袋素材１１０２と裏側の袋素材１２によって袋状が形成されれば本発明の目的は達成できる。【００４２】  実施例３と比べた場合、開口部５を形成する表側の袋素材１１（１）と裏側の袋素材１２（１）が、その側端部において、引き離されることなく開口部５を大きく広げることを可能としている。裏側の袋素材１２と表側の袋素材１１が端部で連続することから、収納物６を収納部１００に収納する際に折り返し部７が収納物６を受け止めて収納部１００への誘導がしやすくなり、使い勝手が向上する。閉鎖位置５１で袋状体１０を折り曲げ、折り返し部７を収納部１００の下に位置させて閉鎖状態を確実なものにすることや、把手３を手に取り、これを引き上げると収納物６が自重により折り返し部７を押し広げながら移動して開口部５より排出される点は実施例２および実施例３と同様である。【００４３】  当該袋状体（１０）を、一枚の布状体を一方向に３分割して折り合わせ、左右の布状体を重ね合わせて製造すれば、収納部を構成する作業工程を短縮でき、コストを軽減できる。また、左右に配された布状体の縦横の寸法を中央に配された布状体の縦横の寸法と同等又は同等以上の大きさにすれば、当該袋状体を横倒にした際に上面が二重となって強度を増し、収納物の鳥獣による食い散らし被害を防ぐ効果を発揮する。また、表側の袋素材１１を左右各一枚の上に、さらに中央部にもう一枚を配すと、構成は複雑となるが、収納部１００内への収納物６の取り込みはさらに容易となる。
【実施例５】
【００４４】  図５は実施例５の斜視図であって、実施例３における裏側の袋素材１２（１）を表側の袋素材１１（１）と異なる素材に置き換えた例を示したものである。本実施例は表側の袋素材１１（１）は鳥や猫による食いちぎりを防ぐことが来るだけの切断や引き延ばしに強い強度を有する素材か、目が細かいネットや透明性に欠ける布状体など視覚的に遮断できる素材にすることによってカラスや猫の食い散らし散乱防止効果を高めることが出来る。また、裏側の袋素材１２（１）を滑動容易な素材にすることで収納部１００に収納された収納物６が開口部５に向かって移動しやすくなる。表側の袋素材１１（１）を否浸透性の素材とし、裏側の袋素材１２（１）を通気性のある素材とした場合には、横倒しにして雨による浸水を防ぐとともに通気性を確保出来る。異なる性質の袋素材１を組み合わせることで、１種類の素材では得られ無い効果を得られるようになる。把手３を手に取り、これを引き上げると収納物６が自重により折り返し部７を押し広げながら移動して開口部５より排出される点は実施例４と同様である。【００４５】  図６は実施例５の別タイプの斜視図であって、図５における表側の袋素材１１（１）を否浸透性製ののものとし、裏側の袋素材１２（１）に通気口８を設けた例である。当該袋状体（１０）を寝せた状体にした場合には、表側の袋素材１１（１）が雨に濡れることを防ぎ、裏側の袋素材１２（１）が通気性を確保する。野菜等の保管においては収納物が蒸れて鮮度の落ちることを防ぎ、生ゴミ等を収納した場合には臭いが拡散させて強い異臭になることを防ぐ構成の散乱防止具となる。
【実施例６】
【００４６】  図７は実施例６の斜視図であって実施例４における裏側の袋素材１２（１）を容器としての形状を有する成形体１３に置き換えた例を示したものである。本実施例における容器としての形状を有する成形体１３は編み目又は凹部を有する板状のもので作られる。表側の袋素材１１を表右側の袋素材１１０１（１１）と表左側の袋素材１１０２（１１）の２枚に分け、当該容器としての形状を有する成形体１３の端に接合手段２としての鋲２４で固着されている。裏側の袋素材１２（１）を容器としての形状を有する成形体１３に置き換えたことにより、収納部１００内に収納物を次々と投げ入れやすくなる。又、当該容器としての形状を有する成形体１３が硬質の素材で作られた場合には、鋭利な角のある硬質の物体を収納物６として入れてもカギ裂等の破損が起こりにくくなる。また、硬質な板状素材に穴の開いた板を用いれば、水を切りながらの保存に適した散乱防止具となり、皿状の板にすれば、砂や埃などをよけることの出来る農産物や魚介類を運搬するための容器を兼ねた散乱防止具とすることが出来る。【００４７】  図８は実施例７の斜視図である。前記袋状体１０を寝せた状態において、前記袋状体１０の収納部１００を、開口部５側と底部４側とに二分してそれぞれに把手３であるロープ３１を設け、当該二つの把手３を同時に引き上げて前記袋状体１０を持ち上げ、左右に振り動かして、底４側のロープ３１１を握ったまま、開口部５側の把手３１２の手を離すと、収前記袋状体１０内部の収納物６は前記袋状体１０の折り返し部７を押し広げながら、当該袋状体１０の外に向かって飛んで行く。例えば、当該袋状体１０に生ゴミの入った袋を収納し、当該袋状体１０を生ゴミの回収車の開口部に向かって振り動かし、開口部５側の把手３１２の手を離すと収納物６である生ゴミの袋のみが回収車の収納口に向かって飛び込んでいく。【００４８】  図９は、実施例８の斜視図である。前記袋状体１０を寝せた状態において、前記袋状体１０の収納部１００を、開口部５側と底部４側とに二分したときの開口部５側であって、前記袋状体１０の左右両側部に把手３であるロープ３１を通すことの出来る貫通孔２３を設ける。前記折り返し部７を閉鎖位置５１を挟んで折り返し、右側部の貫通孔Ｃ２３３と重なる位置に貫通孔Ｅ２３５を設ける。同様に左側の貫通孔Ｄ２３４と重なる位置に貫通孔Ｆ２３６を設ける。【００４９】  把手３である開口部側のロープ３１２（３１）の右端を右側の貫通孔Ｃ２３３（２３）と貫通孔Ｅ２３５（２３）に通し、同ロープ３１２（３１）の左端を左側の貫通孔Ｄ２３４（２３）と貫通孔Ｆ２３６（２３）に通し、当該ロープの左右の先端にそれぞれ結びこぶ３３を作ってロープ先端を折り返し部７に掛着する。当該開口部側のロープ３１２を引くと、前記折り返し部７が収納部１００側に引き寄せられて自動的に折り返され、開口部５が閉鎖位置５１で自動的に閉鎖されるため、収納の作業が効率化される。貫通孔の代わりにロープを遊嵌可能に取り付けることの出来る取り付け具を設けても同様の効果が生じる。又。ロープ先端は裏側の袋素材１２（１）に直接接合しても同様の効果が生じる。
【符号の説明】
【００５０】１          袋素材
１０        袋状体
１００      袋状体の収納部
１０１      袋素材の側端
１１        表側の袋素材
１１１      表側の袋素材の端
１１０１    表右側の袋素材
１１０２    表左側の袋素材
１１２      表側の袋素材の端に隣接する表側の袋素材の側端部
１２        裏側の袋素材
１２１      裏側の袋素材の端
１２２      裏側の袋素材の端に隣接する裏側の袋素材の側端部
１３        容器としての形状を有する成形体
２          接合手段
２０        側部帯状体
２１        外側の縫い線
２２        内側の縫い線
２３        貫通孔
２３１      右側の貫通孔
２３２      左側の貫通孔
２３３      貫通孔Ｃ
２３４      貫通孔Ｄ
２３５      貫通孔Ｅ
２３６      貫通孔Ｆ
２４        鋲
３          把手
３１        ロープ
３１１      底側のロープ
３１２      開口部側のロープ
３２        ロープの端
３３        結びこぶ
４          底部
５          開口部
５１        閉鎖位置
５２        閉鎖手段
５２１      線ファスナー
５２２      スライダー
６          収納物
７          折り返し部
【図１】
2014040321.tif 000003
【図２】
2014040321.tif 000004
【図３】
2014040321.tif 000005
【図４】
2014040321.tif 000006
【図５】
2014040321.tif 000007
【図６】
2014040321.tif 000008
【図７】
2014040321.tif 000009
【図８】
2014040321.tif 000010
【図９】
2014040321.tif 000011